(57)【要約】【課題】検査員の手元での入力が可能になり、極めて簡単、短時間で検査数値を入力する事が可能になる歯周検査用補助具を提供する。【解決手段】歯周検査の数値を情報端末機に入力する歯周検査用補助具を設ける。検査員の腕に巻き付けるサポータ１と、該サポータ１の外周囲に巻き付け固定する固定バンド２と、該固定バンド２の一部を略平板状に形成する本体固定盤３とを設ける。固定バンド２は、面ファスナー２Ａが装着されて長さ調整自在に設けられている。ＰＤＡ１１又はテンキー１２からなる入力装置本体１０の裏面と本体固定盤３とに固定具４を装着する。【選択図】図１
0003131408.tif 000002
【実用新案登録請求の範囲】
【請求項１】
歯周検査の数値を情報端末機に入力する歯周検査用補助具であって、検査員の腕に巻き付けるサポータと、該サポータの外周囲に巻き付け固定する固定バンドと、該固定バンドの一部を略平板状に形成する本体固定盤と、ＰＤＡ又はテンキーからなる入力装置本体の裏面と本体固定盤とに装着された固定具と、を有することを特徴とする歯周検査用補助具。
【請求項２】
前記入力装置本体は、検査ソフトがインストールされているＰＤＡが使用される請求項１記載の歯周検査用補助具。
【請求項３】
前記固定具は、パソコン入力用のワイヤレステンキー又は有線のテンキーの裏面に装着された請求項１記載の歯周検査用補助具。
【請求項４】
前記固定バンドは、面ファスナーが装着されて長さ調整自在に設けられた請求項１記載の歯周検査用補助具。
【請求項５】
前記固定具として、前記本体固定盤と前記入力装置本体とに装着された面ファスナーが使用される請求項１記載の歯周検査用補助具。
【考案の詳細な説明】
【技術分野】
【０００１】
本考案は、歯科医療において行われる歯周検査を、手元で入力することを可能にする歯周検査用補助具に関するものである。
【背景技術】
【０００２】
歯科医療にて行われる歯周検査（ポケットやプラーク）は、一般的に医師や衛生士が数値を測定し、カルテや記録紙に記載し保存している。そのため、一般の検査において、医師の他に記録をする助手が必要になっていた。
【０００３】
一方、歯周検査において、記録用の助手を必要としない装置が特許文献１及び特許文献２に提案されている。特許文献１に記載の歯科装置用支持ハンドルは、歯周検査に使用するプローブ又はミラーの柄の部分に入力ボタンを設けた装置で検査結果を入力するものである。また、特許文献２に記載の歯周検査装置では、医師が検査した結果を医師の声で自動的にコンピュータに記録するものである。
【特許文献１】特開平２−１２６３号公報
【特許文献２】特開平１１−１７８８４７号公報
【考案の開示】
【考案が解決しようとする課題】
【０００４】
ところが、特許文献１に記載の歯科装置用支持ハンドルでは、入力ボタンを設けるプローブ又はミラーの柄が、構造上、細く形成される必要があるので、この細い柄に設けられた入力ボタンが小さくなってしまい、入力作業が極めて困難にならざるを得ないのであった。
【０００５】
一方、特許文献２に記載の歯周検査装置によると、マイクを介して医師等の声で自動的にコンピュータに記録しようとするものであるが、声をデータ変換する処理が完全に行われないと入力されず、あるいは入力されていても間違ったデータに変換されることになり、信頼性に欠けるといった問題点があった。
【０００６】
また、最近の歯周検査では、マイクを使用せずに、パソコンのキーボードやテンキー等で入力することが多くなっているが、医師等は、最大192箇所の数値を入力するたびに、検査をするポジションから別の場所に置いたパソコンに入力するポジションに姿勢を変える必要があった。このため、入力時の作業性がきわめて悪くなり、しかも、パソコンを置く場所をできるだけ患者の近くに設置しなければならず、他の検査機器の妨げになるなど、多くの問題が発生している。
【０００７】
そこで、本考案は上述の課題を解消すべく案出されたもので、検査員の手元での入力が可能になり、極めて簡単、短時間で検査数値を入力する事が可能になる歯周検査用補助具の提供を目的とするものである。
【課題を解決するための手段】
【０００８】
上述の目的を達成すべく本考案の第１の手段は、歯周検査の数値を情報端末機に入力する歯周検査用補助具であって、検査員の腕に巻き付けるサポータ１と、該サポータ１の外周囲に巻き付け固定する固定バンド２と、該固定バンド２の一部を略平板状に形成する本体固定盤３と、ＰＤＡ１１又はテンキー１２からなる入力装置本体１０の裏面と本体固定盤３とに装着された固定具４と、を有するものである。
【０００９】
第２の手段の入力装置本体１０は、検査ソフトがインストールされているＰＤＡ１１が使用されることにある。
【００１０】
第３の手段の固定具４は、パソコン入力用のワイヤレステンキー１２又は有線のテンキーの裏面に装着されている
【００１１】
第４の手段の固定具４として、前記本体固定盤３と前記入力装置本体１０とに装着された面ファスナーが使用される。
【００１２】
第５の手段の固定バンド２は、面ファスナー２Ａが装着されて長さ調整自在に設けられていることを課題解消のための手段とする。
【考案の効果】
【００１３】
本考案補助具の請求項１によると、検査員の腕に巻き付けるサポータ１と、該サポータ１の外周囲に巻き付け固定する固定バンド２と、該固定バンド２の一部を略平板状に形成する本体固定盤３と、を介して、ＰＤＡ１１又はテンキー１２からなる入力装置本体１０を検査員の腕に装着固定するものであるから、検査員の手元での入力が可能になり、極めて簡単、短時間で検査数値を入力する事が可能になるものである。
【００１４】
請求項２、３により、入力装置本体１０として、パソコン入力用のワイヤレステンキー１２又は有線のテンキー、あるいは検査ソフトがインストールされているＰＤＡ１１を使用することで、診療ユニットという限られたスペースで検査したデータをより効率よくパソコン等の情報端末機に入力することができる。
【００１５】
請求項４では、固定バンド２に面ファスナー２Ａが装着されて長さ調整自在に設けられているので、検査員の体格に左右されず、衣服の上からの装着も可能である。
【００１６】
請求項５によると、固定具４に面ファスナーを使用したことで、歯周検査時の入力装置本体１０の着脱を極めて容易に行うことができる。
【考案を実施するための最良の形態】
【００１７】
本考案の最良の形態は、検査員の腕に巻き付けるサポータ１と、該サポータ１の外周囲に巻き付け固定する固定バンド２と、該固定バンド２の一部を略平板状に形成する本体固定盤３とを設ける。ＰＤＡ１１又はテンキー１２からなる入力装置本体１０の裏面と本体固定盤３とに固定具４を装着する。本体固定盤３は、前記固定バンド２の裏面に固定された板体３Ａと、該板体３Ａを被覆する固定バンド２の被覆部分２Ａにて形成される。固定バンド２は、面ファスナー２Ａが装着されて長さ調整自在に設けられる。固定具４として、前記本体固定盤３と前記入力装置本体１０とに装着された面ファスナーが使用される。前記入力装置本体１０は、検査ソフトがインストールされているＰＤＡ１１が使用されることで、当初の目的を達成するものである。
【実施例】
【００１８】
以下、本考案を図示例に基づいて説明する。本考案補助具は、パソコンなどの情報端末機に歯周検査の数値を入力する際に、歯周検査を行う検査員の腕に装着し、この補助具に入力装置本体１０を固定して使用するものである。
【００１９】
本考案補助具の基本構成は、サポータ１、固定バンド２、本体固定盤３、固定具４、から構成されている。
【００２０】
サポータ１は、検査員の腕に巻き付けるもので、さらにサポータ１の外周囲に固定バンド２を巻き付け固定する。この固定バンド２には、面ファスナー２Ａが装着されて長さ調整自在に設けている（図３参照）。また、図示しないが、サポータ１を使用せずに直接固定バンド２を腕に巻き付けることも可能である。
【００２１】
本体固定盤３は、固定バンド２の一部を略平板状に形成する部材であり、固定バンド２の表面に固定されている（図４参照）。
【００２２】
本考案補助具に固定する入力装置本体１０として、ＰＤＡ１１又はテンキー１２を固定する。
【００２３】
固定具４は、面ファスナーが使用される。すなわち、ＰＤＡ１１（図１参照）又はテンキー１２（図２参照）からなる入力装置本体１０の裏面（図５参照）と本体固定盤３とに装着するものである（図４参照）。また、図示しないが、本体固定盤３を使用せず、入力装置本体１０を直接固定バンド２に固定することも可能である。
【００２４】
ＰＤＡ１１は、携帯情報端末と称し、パソコンの機能のいくつかを備えた情報機器である。現在の歯科医院のユニットＰには大きく分けてパソコンが装着されていないユニットと装着されているユニットＰとの２種類がある。そこで、パソコンが装着されていないユニットＰを使用する場合は、入力装置本体１０に、検査ソフトがインストールされているＰＤＡ１１を使用することで（図１参照）、歯周検査の数値を簡単に入力することができる。
【００２５】
一方、ユニットＰにパソコンが付いている場合は（図６参照）、入力端末のワイヤレステンキーがあれば簡単に入力できる（図２参照）。このテンキー１２は、パソコン入力用のワイヤレステンキー１２又は有線のテンキーのいずれでも良いものである。
【００２６】
尚、本考案は図示例に限定されるものではなく、本考案の要旨を変更しない範囲で任意に変更することができるものである。
【図面の簡単な説明】
【００２７】
【図１】本考案の入力装置本体の一実施例を示す斜視図である。
【図２】本考案の入力装置本体の他の実施例を示す斜視図である。
【図３】本考案のサポータと固定バンドを示す斜視図である。
【図４】本考案の本体固定盤を示す斜視図である。
【図５】本考案の固定具の一実施例を示す斜視図である。
【図６】本考案の使用状態を示す斜視図である。
【符号の説明】
【００２８】
Ｐ  ユニット
１  サポータ
２  固定バンド
２Ａ  面ファスナー
３  本体固定盤
４  固定具
１０  入力装置本体
１１  ＰＤＡ
１２  テンキー
【図１】
0003131408.tif 000003
【図２】
0003131408.tif 000004
【図３】
0003131408.tif 000005
【図４】
0003131408.tif 000006
【図５】
0003131408.tif 000007
【図６】
0003131408.tif 000008